(57)【要約】【課題】  インテリア性を兼ね備えた新規な芳香材を提供することにある。【解決手段】  芳香材１０は、ケイ酸カルシウム板１１を芳香材本体とするものである。このケイ酸カルシウム板１１はその片面又は両面に徐放性芳香剤の含有する塗料を塗布された塗布面１２を備えている。塗布面１２からは、徐放性芳香剤が放散されるので「芳香材」として機能することになる。また、塗布面１２には絵柄模様１３を備えることで、単なる芳香材としてだけでなく、美観を備えた「インテリア」として機能することになる。【選択図】  図１
0003151154.tif 000002
【実用新案登録請求の範囲】
【請求項１】
徐放性芳香剤を含有する塗料を塗布した塗布面を備えたケイ酸カルシウム板からなることを特徴とするインテリア兼用芳香材。
【請求項２】
前記塗料を絵柄模様に塗布した塗布面を備えたケイ酸カルシウム板からなることを特徴とする請求項１記載のインテリア兼用芳香材。
【請求項３】
前記塗料を印刷によって塗布した塗布面を備えたケイ酸カルシウム板からなることを特徴とする請求項１又は２記載のインテリア兼用芳香材。
【考案の詳細な説明】
【技術分野】
【０００１】
本願考案は、壁に飾るなどしてインテリアとしても利用可能な芳香材に関するものである。
【背景技術】
【０００２】
従来、インテリアとして利用可能な芳香材としては、以下に説明する特許文献１〜５のようなものが開示されている。
特許文献１は、安定した品質を保持し、連続微細で制御されたセル径を有し、柔軟性があり、軽量で、自重に対する吸液量が多く、吸液速度が速く、液の保持性が高く、形状成形が容易であり、効率よく芳香を発散させる芳香材を用いて、意匠性に優れた外観を形成でき、香りの発散部が自然の花のごとく、擬似実現することができる、芳香材を備える造花を提供することを目的として、ポリビニルアルコールを原料とする発泡体に香料を含浸させた芳香材を形成するとともに、この芳香剤を備える造花が開示されている。
【０００３】
特許文献２は、芳香材を簡易に補充交換することができ、かつ、表示物への影響を最小限に抑えつつ、一定の芳香強さで長期に及ぶ持続性を確保することができる簡易な構成の額縁を提供することを目的として、絵画や写真等の表示物２を挿込み保持するポケット３を形成した保持枠４を備え、その表側に表示物２を透視表示するための透視窓５を形成し、上記保持枠４のポケット３は、表示物２の厚さを超える奥行寸法に形成することにより、表示物２と共にその背面部に薄板状の芳香体６を合わせて保持するとともに、この芳香体６から蒸散する香気を外部に発散するための開放口７を形成して構成する額縁１が開示されている（符号は、当該特許文献のもの）。
【０００４】
特許文献３は、室内等の臭気環境の改善を図ることができ、かつ内装材および壁画等の素材として使用できる芳香・脱臭兼用装飾パネルの提供を目的として、有孔パネル１と、その裏面に設けた凹部に配設した芳香材および／または脱臭材包装体２と、有孔パネル１の裏面に設けた接着剤層３と、接着剤層３に貼着した剥離紙４とより構成される芳香・脱臭兼用装飾パネルが開示されている（符号は、当該特許文献のもの）。
【０００５】
特許文献４は、建築内外装材や装飾材等に用いられるパネル自体に、調湿、芳香、発光、抗菌等の機能をもたせ、生活空間における快適さや高品質素材に対するニーズに応えることを目的として、多孔質パネル１に微細粒子の調湿材料、芳香材料、発光材料、抗菌剤等の機能性物質２を充填させ、その片面（又は両面）に機能性物質よりも小さな微細孔を有する通気性の多孔質アルミニウム板３を配設してなる機能性パネルが開示されている（符号は、当該特許文献のもの）。
【０００６】
特許文献５は、簡単かつ容易に、しかも安価に多量生産して美しい装飾模様としながら、種々の用途に便利に使用して香りの持続性を延長できる芳香材の提供を目的として、基材シート１の上に文字、または図形を表す形状に接着材２を塗布し、接着材２に多数の芳香粒３を接着して、芳香粒３で基材シート１の表面に文字、または図形を表示する芳香材が開示されている。また、芳香粒３は、多孔質の粒体に、芳香剤を含浸したものであるとともに、芳香粒３は着色して美しく装飾されている（符号は、当該特許文献のもの）。
【先行技術文献】
【特許文献】
【０００７】
【特許文献１】特開２００５−２６１５４２号公報
【特許文献２】特開２００１−０５４４５２号公報
【特許文献３】特開平０９−  ０４７４９８号公報
【特許文献４】特開平０６−  １９８７９６号公報
【特許文献５】実開平０６−  ０６４６４６号公報
【考案の概要】
【考案が解決しようとする課題】
【０００８】
これに対して、本願考案者は、上記する従来の芳香材には無い次のような新規な目的を達成すべく本願考案を完成するに至った。
（１）インテリア性を兼ね備える芳香材であるだけでなく、リユース可能な芳香材を提供すること（環境に優しい芳香材の提供）
（２）そのリユースが容易あること（リユースに係る資源・コスト削減）
（３）そのリユースによっても芳香材の品質が維持されること（リユース製品の利用価値）
【課題を解決するための手段】
【０００９】
上記目的を達成するために、第１の考案は、徐放性芳香剤を含有する塗料を塗布した塗布面を備えたケイ酸カルシウム板からなることを特徴とするインテリア兼用芳香材である。
第２の考案は、前記塗料を絵柄模様に塗布した塗布面を備えたケイ酸カルシウム板からなることを特徴とする同インテリア兼用芳香材である。
第３の考案は、前記塗料を印刷によって塗布した塗布面を備えたケイ酸カルシウム板からなることを特徴とする同インテリア兼用芳香材である。
【考案の効果】
【００１０】
本願考案によれば、次のような効果を有する。
（１）本願考案に係るインテリア兼用芳香材は、徐放性芳香剤を含有する塗料を塗布した塗布面を備えているので、芳香材として利用できる。また、芳香材本体としてケイ酸カルシウム板を使用しているので、インテリアとして利用できるとともにリユースが可能となる。
（２）すなわち、芳香材本体としてケイ酸カルシウム板を使用しているので、洗浄・切削・焼成などの方法で塗料（絵柄模様）や芳香剤を除去したケイ酸カルシウム板を芳香材本体として品質を落とさずに再利用（リユース）できる。
（３）芳香材本体としてのケイ酸カルシウム板は細孔を有する多孔質体であるので、芳香剤が孔に浸透し、芳香剤を徐々に放出することができる。すなわち、長期間芳香材としての機能を発揮できる。
（４）芳香材本体としてのケイ酸カルシウム板は平板状であり、且つ高強度であるので、厚みが薄く設置に場所をとらない。
（５）芳香材本体としてのケイ酸カルシウム板は平板状であるため、リユースのための回収・輸送が容易である。
（６）芳香材本体としてのケイ酸カルシウム板は細孔を有する多孔質体であるので、下地処理をしなくても塗料を用いた塗布面の形成が可能になる。また、質感（凹凸）を表現することができるので、美観に優れたインテリアとしての芳香材を提供できる。
（７）塗料の塗布に印刷技術を用いることで、芳香材を効率良く生産できるようになる。また、印刷技術にスクリーン印刷を用いることで、極少量の印刷や曲面の印刷に適したものとなる。
【図面の簡単な説明】
【００１１】
【図１】本願考案に係る芳香材を示す斜視図。
【図２】本願考案に係る芳香材の製造方法を示す説明図。
【図３】本願考案に係る芳香材のリユース方法を示す説明図。
【考案を実施するための最良の形態】
【００１２】
本願考案の実施形態を図面に基づいて説明する。
図１は、本願考案に係るインテリア兼用芳香材を示す斜視図である。
インテリア兼用芳香材１０（以下「芳香材１０」）は、ケイ酸カルシウム板１１を芳香材本体とするものである。このケイ酸カルシウム板１１はその片面又は両面に徐放性芳香剤を含有する塗料の塗布された塗布面１２を備えている。塗布面１２からは、徐放性芳香剤が放散されるので、これを空間内に設置（例えば壁に飾るなど）することで「インテリア兼用芳香材」として機能することになる。
【００１３】
特に、徐放性芳香剤を含有する塗料を絵柄模様１３に塗布した塗布面１２を備えることで、インテリア性（装飾性）に優れたものとなる。この絵柄模様１３は、「スクリーン印刷」によって塗布するとよい。この「スクリーン印刷」のような印刷技術を利用して絵柄模様１３の塗布面１２を形成することで、芳香材１０を効率良く生産できるからである（生産性が高まる）。なお、印刷技術としては、「スクリーン印刷」の他に、「グラビア印刷」や「オフセット印刷」なども利用できる。
【００１４】
そして、芳香材１０の最大の特徴は、芳香材本体にケイ酸カルシウム板１１を使用したことにある。すなわち、塗料を塗布して塗布面を形成するために印刷技術を利用する場合に、下地処理をしないで印刷をすることができる。
また、ケイ酸カルシウム板１１が多孔質体であることによって、芳香剤が孔に浸透し、芳香剤を徐々に放出することになり、芳香材としての機能を長期間にわたり発揮できる。
【００１５】
さらには、芳香材本体としてケイ酸カルシウム板１１を使用することで、芳香材１０としてのリユースを可能にする。ケイ酸カルシウム板１１は洗浄・切削・焼成等が可能な強度があるからである。これによって、塗料の塗布された塗布面１２を洗浄・切削・焼成等によって簡単且つ確実に除去することができるとともに、塗布面１２除去後のケイ酸カルシウム板１１を再び芳香材本体として利用することができるのである。
【００１６】
なお、芳香材本体としては、ケイ酸カルシウム板１１の他に、多孔性・耐久性のある素材、例えば、スレート板やコンクリートボード等のような、他の窯業系ボードでも使用できる。
また、塗布面１２に塗布される塗料に含有する徐放性芳香剤としては、カプセル状の芳香剤を使用するとよい。
【００１７】
図２は、本願考案に係る芳香材の製造方法を示す説明図である。
図２（ａ）は、芳香材の芳香材本体となるケイ酸カルシウム板を用意する工程である。
図２（ｂ）は、徐放性芳香剤を含有する塗料を用意する工程である。
図２（ｃ）は、（ａ）で用意したケイ酸カルシウム板へ（ｂ）で用意した塗料を塗布する工程である。この場合、スクリーン印刷その他の塗布技術を使用する。
図２（ｄ）は、以上の図２（ａ）〜（ｃ）の工程を経て、芳香材としての完成に至る。
【００１８】
図３は、本願考案に係る芳香材のリユース方法を示す説明図である。
図３（ａ）は、リユースする芳香材を用意する工程である。
図３（ｂ）は、徐放性芳香剤を含有する塗料を用意する工程である。
図３（ｃ）は、（ａ）で用意した芳香材の塗布面を「洗浄」又は「切削」又は「焼成」等をして塗料（絵柄模様）や芳香剤を除去する工程である。
図３（ｄ）は、（ｃ）の工程を経たケイ酸カルシウム板へ（ｂ）で用意した塗料を塗布する工程である。この場合、スクリーン印刷その他の塗布技術を使用する。
図３（ｅ）は、以上の図３（ａ）〜（ｄ）の工程を経て、芳香材のリユースに至る。
なお、リユースする芳香材の塗布面を除去する必要がない場合（単に塗料を塗り増すだけの場合）は、図３（ｃ）の工程を飛ばして、図３（ｄ）の工程にいってもよい。
【産業上の利用可能性】
【００１９】
本願考案は、リユース可能なインテリア兼用芳香材として広く利用できるものである。
【符号の説明】
【００２０】
１０  インテリア兼用芳香材（芳香材）
１１  ケイ酸カルシウム板（芳香材本体）
１２  塗布面
１３  絵柄模様
【図１】
0003151154.tif 000003
【図２】
0003151154.tif 000004
【図３】
0003151154.tif 000005